(57)【要約】【課題】カーペットに絡みついた繊維質のごみであっても容易に除去することができるカーペット用清掃具を提供する。【解決手段】繊維質のごみを付着させるためのシート２と、このシート２を取り付けるためのブロック体１３とを有し、該ブロック体１３は、上記シート２の厚さよりも長さの長い多数の線条１２からなるブラシ部４を有していて、該ブロック体１３に上記シート２を装着したとき、このブラシ部４の線条１２が該シート２を貫通して外部に突き出すように形成する。【選択図】図３
2007282855.tif 000002
【特許請求の範囲】
【請求項１】
繊維質のごみを付着させるためのシートと、このシートを着脱自在に装着するための清掃具本体とで構成され、
上記清掃具本体は、平坦な清掃用作業面を有するブロック体と、このブロック体の上記作業面に形成されたブラシ部とを有し、
上記ブラシ部を、カーペットに絡みついた繊維質のごみを掻き取り可能な程度の剛性と弾性とを兼ね備えた多数の線条で形成すると共に、これらの線条の長さを上記シートの厚さよりも長く形成することにより、上記清掃具本体に該シートを装着したとき、これらの線条が該シートを貫通して外部に突き出すように構成されていることを特徴とするカーペット用清掃具。
【請求項２】
上記ブラシ部における各線条の先端部を鈎形に湾曲させたことを特徴とする請求項１に記載の清掃具。
【請求項３】
上記ブラシ部における各線条を一方向に傾斜させることにより、該線条の傾斜方向に清掃具を動かした場合と逆方向に動かした場合とにおけるごみの掻き取り抵抗に差を持たせたことを特徴とする請求項１に記載の清掃具。
【請求項４】
上記ブロック体が、合成樹脂発泡体によって片手に直接握持して清掃可能な大きさと硬さとを有するように形成され、また上記ブラシ部が、上記作業面全体に形成されていることを特徴とする請求項１から３の何れかに記載の清掃具。
【請求項５】
上記ブロック体が合成樹脂発泡体によって形成されると共に、その上面には取付部材を介して柄が取り付けられ、また、該ブロック体の下面が上記作業面となっていて、該作業面全体に上記ブラシ部が形成されていることを特徴とする請求項１から３の何れかに記載の清掃具。
【請求項６】
上記ブロック体が矩形の断面形状を有する部材からなっていて、下面である第１側面が上記作業面をなすと共に、上面である第２側面に上記シートの一部を差し込んで止着させるための複数の止着孔を有し、この止着孔は、上記ブロック体の長手方向の両端部寄りの位置に、それぞれ、該ブロック体の短手方向に相対して位置するように形成され、上記第２側面から第１側面にかけて該ブロック体を貫通していることを特徴とする請求項１から５の何れかに記載の清掃具。
【請求項７】
上記止着孔が、弧面部と平面部とからなる半月状をしていて、相対する止着孔が弧面部同士を対向させた状態に配設され、各止着孔には、上記シートを押し込む際に該止着孔を広がり易くするためのスリットが両側に連設されていることを特徴とする請求項６に記載の清掃具。
【発明の詳細な説明】
【技術分野】
【０００１】
本発明は、カーペット上にある繊維質のごみを除去するための清掃具に関するものである。
【背景技術】
【０００２】
従来のカーペットを清掃する清掃具として、例えば特許文献１に記載のものが提案されている。この清掃具は、基板に設けた短繊維によってカーペット上の糸屑を掻き取るように構成されている。また、上記特許文献１の他にも、粘着テープをロール状に巻着してなる粘着ロールを備え、該粘着ロールをカーペットに押し付けて転動させることでカーペット上のごみを粘着ロールに付着させる清掃具等が公知である。
【０００３】
しかしながら、上記特許文献１の清掃具においては、掻き取った糸屑が短繊維に絡みついてしまうため、これを取り除く作業が面倒になる。また、粘着ロールを備えた上記清掃具においては、カーペット表面のごみは除去することができるが、繊維に絡みついたごみは除去することが困難であった。  
【特許文献１】実公平６−４６３４９号公報
【発明の開示】
【発明が解決しようとする課題】
【０００４】
そこで、本発明の目的は、カーペットに絡みついた繊維質のごみであっても容易に除去することができるカーペット用清掃具を提供することにある。
【課題を解決するための手段】
【０００５】
上記目的を達成するため、本発明の清掃具は、繊維質のごみを付着させるためのシートと、このシートを着脱自在に装着するための清掃具本体とで構成されていて、上記清掃具本体が、平坦な清掃用作業面を有するブロック体と、このブロック体の上記作業面に形成されたブラシ部とを有し、上記ブラシ部を、カーペットに絡みついた繊維質のごみを掻き取り可能な程度の剛性と弾性とを兼ね備えた多数の線条で形成すると共に、これらの線条の長さを上記シートの厚さよりも長く形成することにより、上記清掃具本体に該シートを装着したとき、これらの線条が該シートを貫通して外部に突き出すように構成されていることを特徴とするものである。
【０００６】
本発明においては、上記ブラシ部における各線条の先端部を鈎形に湾曲させても良く、あるいは、各線条を一方向に傾斜させることにより、該線条の傾斜方向に清掃具を動かした場合と逆方向に動かした場合とにおけるごみの掻き取り抵抗に差を持たせることもできる。
【０００７】
また、本発明の清掃具は、上記ブロック体を合成樹脂発泡体によって片手に直接握持して清掃可能な大きさと硬さとを有するように形成し、上記ブラシ部を作業面全体に形成したものであっても、あるいは、上記ブロック体を合成樹脂発泡体により形成して、その上面に取付部材を介して柄を取り付け、該ブロック体の下面を上記作業面として、該作業面全体に上記ブラシ部を形成したものであっても良い。
【０００８】
さらに、本発明の清掃具は、上記ブロック体が矩形の断面形状を有する部材からなっていて、下面である第１側面が上記作業面をなすと共に、上面である第２側面に上記シートの一部を差し込んで止着させるための複数の止着孔を有し、この止着孔は、上記ブロック体の長手方向の両端部寄りの位置に、それぞれ、該ブロック体の短手方向に相対して位置するように形成され、上記第２側面から第１側面にかけて該ブロック体を貫通していることが望ましい。
【０００９】
この場合上記止着孔は、弧面部と平面部とからなる半月状をしていて、相対する止着孔が弧面部同士を対向させた状態に配設され、各止着孔には、上記シートを押し込む際に該止着孔を広がり易くするためのスリットが両側に連設されていても良い。
【発明の効果】
【００１０】
本発明のカーペット用清掃具は、ブロック体に清掃用シートを装着すると、ブラシ部における各線条が該シートから突出するので、これらの線条でカーペットのパイルに絡んだ毛髪、綿埃、糸くずなどの繊維質からなるごみを掻き取ることにより、掻き取られたごみが上記シートの表面に付着して捕集される。
清掃後に、上記ブロック体からシートを取り外すと、上記ごみが該シートに付着したままブラシ部の線条から剥離される。よって、ブラシ部にごみが付着したまま残ることがないため、該ブラシ部を洗ったりする面倒な手間が省ける。
【発明を実施するための最良の形態】
【００１１】
図１〜図６は本発明に係るカーペット用清掃具の第１実施形態を示すものである。この清掃具１Ａは、片手に直接握持して清掃を行うように構成されたもので、不織布からなる清掃用のシート２と、該シート２を着脱自在に装着するための清掃具本体３とで構成されている。
【００１２】
上記シート２は、図４に示すように、天然繊維及び／又は合成繊維からなる柔軟な不織布によって長方形状に形成したもので、上記繊維による毳立った表面を有し、この表面の繊維にカーペット２６上の毛髪や糸屑などの繊維質のごみを付着させて除去するものである。もちろん、塵埃などの繊維質以外のごみも付着させることができる。
上記不織布を構成する繊維は、親水性繊維であっても、親油性繊維であっても良く、あるいはそれらの混合物であっても良い。また、それらの繊維は、繊維経が小さい極細繊維で構成されていることが望ましいが、より望ましくは、この繊維の一部又は全部に、繊維経が１〜１０μｍの超極細繊維が含まれていることである。
【００１３】
上記清掃具本体３は、ポリエチレンなどの合成樹脂発泡体からなる比較的硬質のスポンジ状をしたブロック体１３に、多数の線条１２からなるブラシ部４を設けたものである。上記ブロック体１３は、矩形の断面形状を有する細長い四角柱状の部材であって、片手で直接握持して清掃することができるような大きさと、清掃時に加わる力では殆ど圧縮されない程度の硬さとに形成され、上記ブラシ部４が設けられた平坦な第１側面（下面）１８と、該第１側面１８の反対側に位置する平坦な第２側面（上面）１９と、これらの側面１８，１９と隣接する位置にあって互いに相反する方向を向く平坦な第３側面２０及び第４側面２１とを有している。これらの第３側面２０及び第４側面２１には、使用者が握持し易いように、指が当たる位置に複数の窪み２２が形成されている。図示した例では、両側面２０，２１の中央部とその両側部とにそれぞれ浅い溝形をした３つの窪み２２が形成されているが、これらの窪み２２の位置や数及び形状等はこれ以外であっても良い。また、該ブロック体１３の長手方向の両端面２３，２４は、内側に向かって窪んだ形に形成されている。
【００１４】
上記ブラシ部４は、図２及び図３に示すように、上記ブロック体１３の第１側面１８の全体に、カーペット２６に絡みついた繊維質のごみを掻き取り可能な程度の剛性と弾性とを兼ね備えた合成樹脂製の多数の上記線条１２を、一定間隔で列状に取付けることにより形成したもので、起立する上記線条１２の高さ（長さ）は、上記シート２の厚さよりも大きく形成されている。従って、該シート２を清掃具本体３即ちブロック体１３に装着した時、上記各線条１２が該シート２を貫通して外部に突き出すことになる。上記線条１２を形成する合成樹脂としては、例えばポリアミド系樹脂やポリエステル樹脂等を用いることができる。
【００１５】
上記ブラシ部４は、例えば次のような方法により形成することができる。すなわち、図５に示すように、波形に折り曲げられてブロック体１３の長手方向に延びる複数の合成樹脂製の長尺の線材１７を、それらの折曲基端部１７ａに固定用の細線１４を係止あるいは巻き付けるなどして相互に結合、一体化することにより、並列に位置する複数の線材１７からなる線条マット２５を形成し、この線条マット２５を上記ブロック体１３の第１側面１８に接着剤で固定すると共に、各線材１７の折曲先端部１７ｂを切断することにより、図６に示すように、複数の線条１２を有する上記ブラシ部４が形成される。
このようにして形成される上記線条１２は、先端がやや横向きをなす鈎形に湾曲しているため、繊維質のごみを引っ掛けて掻き取る効果に勝れることになる。
【００１６】
しかし、上記線条マット２５はこのような構成のものに限定されない。例えば、平面シート状をした基材の表面に多数の線条の基端部を一体に固着したものであっても良い。この場合、上記基材は多孔質であっても無孔質であっても良く、また、この基材と各線条とは、予め一体成形したものであっても、別々に形成して接着や溶着等の方法で一体化したものであっても良い。さらに、上記各線条１２は、先端が鈎形に湾曲することなく真っ直ぐ延びていても良い。
【００１７】
あるいは、図７に示すように、ブラシ部４における各線条１２を一方向に傾斜させることにより、該線条１２の傾斜方向（ａ方向）に清掃具を動かした場合と、逆方向（ｂ方向）に動かした場合とで、ごみの掻き取り抵抗に差を持たせることもできる。この場合、清掃具を線条１２の傾斜方向に動かしたときの方が、各線条１２の剛性が大きくなるため、ごみの掻き取り力も大きくなる。従って、カーペットの種類や毛羽の状態等によって清掃具を動かす方向を使い分けることにより、清掃を効率よく行うことができる。
【００１８】
上記ブロック体１３の第２側面１９には、装着したシート２を止着して保持するための止着孔９が、該第２側面１９から第１側面１８に向けて該ブロック体１３を貫通するように設けられている。この止着孔９は、弧面部９ａと平面部９ｂとからなる半月状をしていて、上記ブロック体１３の長手方向の両端部寄りの位置に、それぞれ、該ブロック体１３の短手方向に互いに相対して位置するように一対づつ形成されている。この場合、相対する一対の止着孔９は、上記弧面部９ａを内側すなわち第２側面１９の中央側に向けることにより、該弧面部９ａ同士を互いに対向させた状態に配設されている。
【００１９】
また、上記ブロック体１３には、上記止着孔９にシート２を押し込む際に該止着孔９を広がり易くするためのスリット１０が、該止着孔９に連なるように形成されている。図示した例では、このスリット１０が、上記平面部９ｂの両側に該ブロック体１３の長手方向に延びるように連設されている。このスリット１０も、ブロック体１３を第２側面から第１側面１８にかけて貫通している。
しかし、上記止着孔９及びスリット１０は、必ずしもブロック体１３を貫通している必要はなく、第２側面１９から一定の深さに形成することもできる。
【００２０】
上記構成を有するカーペット用清掃具１Ａでカーペット２６を清掃するときは、図１及び図３に示すように、清掃用シート２を清掃具本体３のブロック体１３に巻き付けるように装着する。すなわち、該シート２の中央部をブロック体１３の第１側面１８に当て、第３側面及び第４側面を包み込むように該シート２を巻き付けたあと、該シート２の両端部を第２側面の止着孔９ａ，９ｂに部分的に押し込んで係止させることにより、該シート２がブロック体１３に着脱自在に取付けられる。このとき、ブラシ部４における各線条１２は、上記シート２を貫通して先端が外部に突出した状態となる。
【００２１】
そして、上記清掃具１Ａを片手に持ち、上記ブラシ部４でカーペット２６の上面を擦るように該清掃具を動かすことにより、上記線条１２でカーペット２６上の毛髪や糸屑などの繊維質のごみが掻き集められ、掻き集められたごみが上記シート２に付着して捕集される。この場合、上記毛髪や糸屑などの繊維質のごみがカーペット２６の毛羽やパイルに絡みついていても、それらは上記線条１２で確実に掻き出され、上記シート２に付着する。もちろん、塵埃のような繊維質以外のごみも上記シート２に付着して捕集されることになる。
【００２２】
清掃が終了すると、上記シート２をブロック体１３から取り外し、ごみとして捨てれば良い。このとき、捕集されたごみは全て上記シート２に付着したままブロック体１３から分離され、毛髪や糸屑等がブラシ部４の線条１２に絡みついたまま残ることがない。このため、ブロック体１３を清掃の都度洗浄する必要がない。
【００２３】
図示した実施形態においては、上記ブラシ部４がブロック体１３の第１側面１８全体に設けられているが、例えば長手方向の半部だけに形成するといったように、第１側面１８の一部に部分的に設けることもできる。
また、上記ブラシ部４は、ブロック体１３の一つの側面だけに形成することなく、複数の側面に形成することもできる。
【００２４】
さらに、上記ブロック体１３の断面形状は、必ずしも矩形である必要はなく、例えば三角形やその他の多角形であっても良く、あるいは半月形であっても良い。半月形の場合は、弧面側と平面側の何れに上記ブラシ部４を設けても良い。
【００２５】
図８及び図９は本発明に係る清掃具の第２実施形態を示すもので、この清掃具１Ｂは、柄３０を持って清掃するように構成されている点で、上記第１実施形態の清掃具１Ａと相違している。即ち、この清掃具１Ｂにおける清掃具本体３は、ブラシ部４を備えたスポンジ状のブロック体１３の上面に、取付部材３１を介して上記柄３０を取り付けたものである。
【００２６】
上記ブロック体１３は、矩形断面をした一方向に長い柱状又は板状の部材であって、下面が作業面をなし、この作業面全体に上記ブラシ部４が形成されている。このブラシ部４の構成は、上記第１実施形態の清掃具１Ａに形成されているブラシ部４と同様である。また、このブロック体１３は、比較的硬質のスポンジ体からなるもので、清掃時に上記取付部材３１を介して加わる押圧力によっては殆ど圧縮されない程度の硬さを有している。
【００２７】
また、上記取付部材３１は、合成樹脂でプレート状に形成されたもので、上記ブロック体１３の上面とほぼ同じ形状をなすと共に、該上面とほぼ同じかやや小さめの大きさを有し、接着剤や両面接着シート等によってこのブロック体１３の上面に固着されている。そして、該取付部材３１の上面中央部に、上記柄３０が、上記ブロック体１３の短手方向に向けて斜め上向きに傾斜した状態に固定的に取り付けられている。該取付部材３１には、上記ブロック体１３の上面の各止着孔９と対応する位置に窓孔３２が形成され、この窓孔３２を通じてシート２を各止着孔９に押し込むようになっている。
【００２８】
この第２実施形態における上記ブロック体１３及びブラシ部４の上述したこと以外の構成とその好ましい変形例については、第１実施形態の場合と実質的に同じであり、また、その作用についても、柄３０を持って清掃するという点で第１実施形態と相違しているだけであるから、重複を避ける意味で、第１実施形態と同じ主要な構成部分に該第１実施形態と同じ符号を付し、それらの構成及び作用の説明は省略することとする。
【図面の簡単な説明】
【００２９】
【図１】本発明に係るカーペット用清掃具の第１実施形態の平面図である。
【図２】上記清掃具のブロック体を下面側から見た斜視図である。
【図３】上記清掃具による清掃時の状態を示す断面図である。
【図４】清掃用シートの展開状態の平面図である。
【図５】ブラシ部の線条を形成する途中の過程を示す部分拡大図である
【図６】ブラシ部の線条形成後の部分拡大図である。
【図７】ブラシ部の変形例を示す要部断面図である。
【図８】本発明の清掃具の第２実施形態を示す側面図である。
【図９】図８の平面図である。
【符号の説明】
【００３０】
１Ａ，１Ｂ    カーペット用清掃具
２    シート
３    清掃具本体
４    ブラシ部
９    止着孔
９ａ    弧面部
９ｂ    平面部
１０    スリット
１２    線条
１３    ブロック体
１８    第１側面
１９    第２側面
３０    柄
３１    取付部材
【図１】
2007282855.tif 000003
【図２】
2007282855.tif 000004
【図３】
2007282855.tif 000005
【図４】
2007282855.tif 000006
【図５】
2007282855.tif 000007
【図６】
2007282855.tif 000008
【図７】
2007282855.tif 000009
【図８】
2007282855.tif 000010
【図９】
2007282855.tif 000011